【手続補正書】
【提出日】平成20年12月20日(2008.12.20)
【手続補正１】
【補正対象書類名】特許請求の範囲
【補正対象項目名】全文
【補正方法】変更
【補正の内容】
【特許請求の範囲】
【請求項１】
イオン選択システムであって、
複数の高エネルギー多重エネルギー陽イオン（ｈｉｇｈ  ｅｎｅｒｇｙ  ｐｏｌｙｅｎｅｒｇｅｔｉｃ  ｐｏｓｉｔｉｖｅ  ｉｏｎｓ）を有するレーザ加速された高エネルギー多重エネルギーイオンビームをコリメートするコリメート装置と、
前記高エネルギー多重エネルギー陽イオンを、それらのエネルギーレベルに従って空間的に分離する第１の磁場源と、
前記空間的に分離された高エネルギー多重エネルギー陽イオンを変調するアパチャーと、
前記変調された高エネルギー多重エネルギー陽イオンを再結合（ｒｅｃｏｍｂｉｎｅ）する第２の磁場源と
を有し、
前記第１および第２の磁場源は、約０．１〜約３０テスラ（Ｔｅｓｌａ）の磁場を提供する超電導電磁石である
イオン選択システム。
【請求項２】
請求項１記載のイオン選択システムにおいて、前記変調された高エネルギー多重エネルギー陽イオンは、約５０ＭｅＶ〜約２５０ＭｅＶの範囲のエネルギーレベルを有するものである。
【請求項３】
高エネルギー多重エネルギー陽イオンビームを形成する方法であって、
エネルギーレベルの分布を有することで特徴付けられる複数の高エネルギー多重エネルギー陽イオンを有するレーザ加速された高エネルギー多重エネルギーイオンビームを形成する工程と、
コリメート装置を用いて、前記レーザ加速されたイオンビームをコリメートする工程と、
前記高エネルギー陽イオンをそれらのエネルギーレベルに従って、約０．１〜約３０テスラの磁場を有する第１の超電導電磁石により与えられる第１の磁場により、空間的に分離する工程と、
前記空間的に分離された高エネルギー多重エネルギー陽イオンをアパチャーを用いて変調する工程と、
前記変調された高エネルギー多重エネルギー陽イオンを、約０．１〜約３０テスラの磁場を有する第２の超電導電磁石により与えられる第２の磁場により再結合（ｒｅｃｏｍｂｉｎｅ）する工程と
を有する高エネルギー多重エネルギー陽イオンビームを形成する方法。
【請求項４】
請求項３記載の方法において、前記空間的に分離された高エネルギー多重エネルギー陽イオンを変調する工程は、前記陽イオンの一部をアパチャーを通して送り、前記陽イオンの一部は約５０ＭｅＶ〜約２５０ＭｅＶの範囲のエネルギーレベルを有するものである。
【請求項５】
レーザ加速された高エネルギー多重エネルギー陽イオン治療システムであって、
レーザと、少なくとも約５０ＭｅＶのエネルギーレベルを有し、エネルギーレベルに基づいて空間的に分離された高エネルギー多重エネルギー陽イオンを含む高エネルギー多重エネルギーイオンビームを発生するターゲットシステムとを有するレーザ−ターゲットシステムと、
治療上好適な高エネルギー多重エネルギー陽イオンビームを高エネルギー多重エネルギー陽イオンの一部から形成するイオン選択システムであって、各々が約０．１〜約３０テスラの磁場を与えることのできる２つ以上の超電導電磁石を有するものである、前記イオン選択システムと、
イオンビームの監視および制御システムと
を有するレーザ加速された高エネルギー多重エネルギー陽イオン治療システム。
【請求項６】
請求項５記載のレーザ加速された高エネルギー多重エネルギー陽イオン治療システムにおいて、前記高エネルギー多重エネルギー陽イオンは、陽子、リチウム、ホウ素、ベリリウム、または炭素、或いはこれらの任意の組み合わせを含む軽イオンを包含するものである。
【請求項７】
レーザ加速された高エネルギー多重エネルギー陽イオン治療システムで患者を治療する方法であって、
患者における標的領域の位置を特定する工程と、
標的とする領域の治療計画を決定する工程であって、標的とする領域に照射するための複数の治療上好適な高エネルギー多重エネルギー陽イオンビームの線量分布を決定することを含むものである、前記標的とする領域の治療計画を決定する工程と、
各々が約０．１〜約３０テスラの磁場を与えることのできる１若しくはそれ以上の超電導電磁石を用いて、エネルギーレベルに基づいて空間的に分離された複数の高エネルギー多重エネルギー陽イオンから前記複数の治療上好適な高エネルギー多重エネルギー陽イオンビームを形成する工程と、
治療計画に従って、標的とする領域に複数の治療上好適な多重エネルギー陽イオンビームを伝送する工程と
を有するレーザ加速された高エネルギー多重エネルギー陽イオン治療システムで患者を治療する方法。
【請求項８】
レーザ加速された高エネルギー多重エネルギー陽イオンビーム治療センターであって、
患者を固定する場所と、
治療に好適な高エネルギー多重エネルギー陽イオンビームを前記場所に固定された患者に伝送する、レーザ加速された高エネルギー多重エネルギー陽イオン治療システムであって、
レーザと、少なくとも約５０ＭｅＶのエネルギーレベルを有する高エネルギー多重エネルギー陽イオンを含む高エネルギー多重エネルギーイオンビームを発生できるターゲットアセンブリとを有するレーザ−ターゲットシステムと、
各々が約０．１〜約３０テスラの磁場を与えることのできる複数の超電導電磁石を用いた、エネルギーレベルに基づいて空間的に分離された高エネルギー多重エネルギー陽イオンを用いて、治療に好適な高エネルギー多重エネルギー陽イオンビームを発生できるイオン選択システムと、
治療に好適な高エネルギー多重エネルギー陽イオンビームの監視および制御システムと
を有するものである、前記レーザ加速された高エネルギー多重エネルギー陽イオン治療システムと
を有するレーザ加速された高エネルギー多重エネルギー陽イオンビーム治療センター。
【請求項９】
多重エネルギー陽イオンビームを磁気的に分離するための小型の超電導電磁石システムであって、
流体的に連通した（ｉｎ  ｆｌｕｉｄｉｃ  ｃｏｍｍｕｎｉｃａｔｉｏｎ）２若しくはそれ以上の一連の超電導コイルであって、この超電導コイルの各々は、約０．１〜約３０テスラの磁場を別個に与えることができ、少なくとも２つの前記磁場は互いに反対方向にあるものである、前記前記流体的に連通した２若しくはそれ以上の一連の超電導コイルを
有する多重エネルギー陽イオンビームを磁気的に分離するための小型の超電導電磁石システム。
【請求項１０】
請求項９記載の小型の超電導電磁石システムにおいて、前記超電導コイルは、約５ｃｍ〜約１００ｃｍの範囲の寸法を有するものである。
【手続補正２】
【補正対象書類名】明細書
【補正対象項目名】０００６
【補正方法】変更
【補正の内容】
【０００６】
分光器様の粒子選択／ビーム変調システムについては、本発明の発明者らの数人によって説明されており、陽子をそれらのエネルギーおよび放射角に従って空間内に分布させるのに、階段関数のように分布する磁場が用いられている。粒子選択／ビーム変調システムについては、２００４年６月２日出願の「Ｈｉｇｈ  Ｅｎｅｒｇｙ  Ｐｏｌｙｅｎｅｒｇｅｔｉｃ  Ｉｏｎ  Ｓｅｌｅｃｔｉｏｎ  Ｓｙｓｔｅｍｓ，Ｉｏｎ  Ｂｅａｍ  Ｔｈｅｒａｐｙ  Ｓｙｓｔｅｍｓ，ａｎｄ  Ｉｏｎ  Ｂｅａｍ  Ｔｒｅａｔｍｅｎｔ  Ｃｅｎｔｅｒｓ」と題する国際特許出願第ＰＣＴ／ＵＳ２００４／０１７０８１号に記載されており、本文献の全内容をここで参照により本明細書中に援用する。その後陽子ビームは得られるエネルギーで回収され、これは拡大ブラッグピーク（ｓｐｒｅａｄ−ｏｕｔ  Ｂｒａｇｇ  Ｐｅａｋｓ，ＳＯＢＰ）を与えるような変調されたエネルギー分布を実現するのに使用できる。従って、初期に提案された粒子選択システムは、理想の階段状磁場の構造に基づく選択装置を構成する。階段状磁場の分布の実現は困難なため、非理想階段状磁場の構造を取り入れた粒子選択システムについて、さらなる改良が現在必要とされている。さらにまた、非階段状磁場の構造は、典型的な電磁石システムを使用することで発生するため、レーザ加速された多重エネルギー陽イオンの効率的で小型な設備による分離にむけ、電磁石システムにおける改良が現在求められている。
この出願の発明に関連する先行技術文献情報としては、以下のものがある（国際出願日以降国際段階で引用された文献及び他国に国内移行した際に引用された文献を含む）。
【特許文献１】米国特許第４，１９９，４０２号明細書
【特許文献２】米国特許第６，８５２，９８５号明細書
【特許文献３】米国特許第７，２６８，３５８号明細書
【特許文献４】米国特許第７，３１７，１９２号明細書
【特許文献５】米国特許出願第２００６／０１４５０８８号明細書
【特許文献６】米国特許出願第２００７／００３４８１２号明細書